(57)【要約】【課題】ディスプレイ装置はリモート・スイッチの操作はディスプレイを見ながら行うため、リモート・スイッチ取得時にディスプレイが閉じていた場合には、ユーザーはリモート・スイッチによるディスプレイの開き動作の釦操作と、ディスプレイの開動作時間待ちという二重の煩わしさがあるのでこれを解消すること。【解決手段】開閉可能に取り付けられたディスプレイ３と、このディスプレイ３を操作するためのリモート・スイッチ６を具備したディスプレイ開閉装置であって、リモート・スイッチ６を着脱可能に収納する収納手段５と、該収納手段５からの前記リモート・スイッチ６の抜脱に連動して、閉状態のディスプレイ３を開動作する。【選択図】図２
2009132166.tif 000002
【特許請求の範囲】
【請求項１】
開閉可能に取り付けられたディスプレイと、このディスプレイを操作するためのリモート・スイッチを具備したディスプレイ開閉装置であって、
リモート・スイッチを着脱可能に収納する収納手段と、前記収納手段からの前記リモート・スイッチの抜脱に連動して、閉状態の前記ディスプレイを開動作させることを特徴とするディスプレイ開閉装置。
【請求項２】
前記リモート・スイッチの抜脱と前記ディスプレイの開動作とを関連付ける連携手段を有することを特徴とする請求項１記載のディスプレイ開閉装置。
【請求項３】
前記開動作がモーターを駆動源とするものであることを特徴とする請求項１又は２記載のディスプレイ開閉装置。
【請求項４】
前記開動作が弾性手段を駆動源とするものであることを特徴とする請求項１又は２記載のディスプレイ開閉装置。
【請求項５】
前記開動作が前記ディスプレイの自重モーメントを利用したものであることを特徴とする請求項１又は２記載のディスプレイ開閉装置。
【発明の詳細な説明】
【技術分野】
【０００１】
この発明は、開閉可能に取り付けられるディスプレイとこのディスプレイを操作するためのリモート・スイッチとがセットなっているディスプレイ開閉装置に関する。
【背景技術】
【０００２】
車載用として車室天井に開閉可能に取り付けられるディスプレイにおいて、該ディスプレイ用のリモート・スイッチを所定の収納位置から取り外して手元操作する際、操作内容はディスプレイ上に表示されるためディスプレイが閉じ状態になっている場合、予めディスプレイを開き状態に変位させねばならず、この開き状態にするための操作を、リモート・スイッチの操作で行う必要があった。
すなわち、収納位置からリモート・スイッチを取り外し、該リモート・スイッチの操作でディスプレイを開き、その上で視聴に必要な諸操作をディスプレイを見ながら行なうことになる。
このように、リモート・スイッチの操作はディスプレイを見ながら行うため、リモート・スイッチ取得時にディスプレイが閉じていた場合には、ユーザーはリモート・スイッチによるディスプレイの開き動作の釦操作と、ディスプレイの開動作時間待ちという二重の煩わしさを余儀なくされるという問題がある。
一方、車載用の電子機器として、盗難防止のためユーザーが車から離れるときは、パネル支持シャーシから一方のパネル（操作部又は表示部）のみを脱着して車外へ持ち出し可能にしたものがある（例えば特許文献１参照）が、かかる内容は上記の問題を解決する指針を与えていない。
【０００３】
【特許文献１】特開２００３−１７５７７５号公報
【発明の開示】
【発明が解決しようとする課題】
【０００４】
従来のディスプレイ開閉装置は、閉じ状態にあるディスプレイをリモート・スイッチが手元に取得された後にその操作で開き、開き時間を待たなければならず、煩わしいという課題があった。
【０００５】
この発明は上記のような課題を解決するためになされたもので、リモート・スイッチを手元に取得する動作により自動的にディスプレイを開き状態にすることができるディスプレイ開閉装置を提供することを目的とする。
【課題を解決するための手段】
【０００６】
この発明に係るディスプレイ開閉装置は、天井面に開閉可能に取り付けられたディスプレイと、このディスプレイを操作するためのリモート・スイッチを具備したディスプレイ開閉装置であって、リモート・スイッチを着脱可能に収納する収納手段と、該収納手段からの前記リモート・スイッチの抜脱に連動して、閉状態の前記ディスプレイを開動作させることとした。
【発明の効果】
【０００７】
この発明によれば、リモート・スイッチを手元に取得する動作により自動的にディスプレイを開き状態にすることができる。
【発明を実施するための最良の形態】
【０００８】
以下、本発明の実施の形態を図面に基づいて説明する。
実施の形態１．
図１、図２により説明する。これらの図において、ディスプレイ機器本体１（以下、単に機器本体という。）は車室等の天井面２に取り付けられている。尤も本発明において、ディスプレイの取り付け部位は車室や天井面に限定されるものではない。ディスプレイ３は矩形板状をしているが、この形状に限定されない。ディスプレイ３の一端側、本例では左端部で機器本体１に枢着されている。
機器本体１或いはディスプレイ３の端子にＤＶＤプレイヤーやテレビチューナーからの出力を接続してディスプレイ３に表示させることができる。
【０００９】
図１において、ディスプレイ１は機器本体１に形成された収納部４に収納されており、この状態を閉状態という。図２に示すように、ディスプレイ１は上記枢着構造により視聴可能な状態まで開くことができる。この状態を開状態という。ディスプレイ３の収納位置に隣接したスイッチ収納部５にこのディスプレイ３の操作用リモート・スイッチ（以下、単にスイッチという。）６が収納されている。
【００１０】
図１に示したように、ディスプレイ３が収納部４、スイッチ６がスイッチ収納部５にそれぞれ収納された状態のもとで、図２に示したように、ユーザーがスイッチ６をスイッチ収納部５から抜脱すると、この抜脱に連動して閉状態に保持されていたディスプレイ３が開状態になる。
【００１１】
このように、スイッチ６をスイッチ収納部５から抜脱するだけで、ディスプレイ３が開くのであるから、ユーザーはスイッチ６の操作でディスプレイ３を開くという操作から解放される。また、スイッチ６をスイッチ収納部５から抜脱する動作とディスプレイ３が開く動作とが同時的に進行するので、ディスプレイ３の開動作待ち時間が従来よりも短縮さされる利点がある。以下に、より具体的な例を説明する。
【００１２】
実施の形態２．
図３において、スイッチ収納部５の一側面には突起７、８が突出している。また、この位置側面に対向する面には開口９が形成されていて、この開口９から係合爪１０が図示の対向面１１から突出した状態と該対向面１１から退避した状態とを取ることができるようになっている。
【００１３】
機器本体１からは押釦１２が出ている。押釦１２と係合爪１０とは係合しており、図示の突出状態にある押釦１２を手で押動すると、これに連動して係合爪１０が対向面１１から退避し、押釦１２から手を離すとこれに連動して係合爪１０が対向面から突出した図示の状態になる。
【００１４】
スイッチ６の一側面には突起７、８が嵌入可能な凹部１７、１８が形成されている。また、凹部１７、１８が形成された側の反対面には係合爪１０が嵌入可能な凹部２０が形成されている。スイッチ６をスイッチ収納部５に収納するとき、先に突起７、８に凹部１７、１８を嵌入させ、それから、凹部２０に係合爪１０を嵌入する。こうして、スイッチ６は収納部５に３つの嵌合部位で保持される。この収納状態のもとで、押釦１２を押し動かすと、係合爪１０が退避して嵌合が解除されることから、スイッチ６は自重を利用してスイッチ収納部５から容易に取り出すことができる。
【００１５】
図３に示したスイッチ６保持部に相当する機器本体１の内部構造を図４により説明する。押釦１２は機器本体１の内側で軸２１で枢着されている。押釦１２は軸２１を支点として時計回りの向き、つまり、押釦１２の突出した押圧部が機器本体１に形成された開口から外部へ突き出る傾向にばね等の弾性手段により押圧されている。この弾性手段の押圧による押釦１２の回動は押釦１２と一体のストッパ１２ｂが機器本体１の裏側に当接することで阻止されている。
【００１６】
押釦１２と一体の作動片１２ａが係合爪１０と一体の作動片１０ａに当接している。係合爪１０は軸２２により機器本体１に枢着されている。係合爪１０は軸２２を支点として弾性手段により反時計回りの向き、つまり、作動片１０ａが作動片１２ａに当接する向きに付勢されこの付勢による回動は作動片１０ａが作動片１２ａに当接する位置で該係合爪１０の一部が機器本体１に当たることで阻止されている。このとき、係合爪１０はスイッチ６の凹部２０に嵌入している。
【００１７】
かかる構成において、押釦１２を押すことで該押釦１２は軸２１を支点に揺動して作動片１２ａが作動片１０ａを押し動かし、これにより係合爪１０が軸２２を支点に揺動して係合爪１０が凹部２０から退避し、スイッチ６が自重によりスイッチ収納部５内で傾き、スイッチ収納部５から外れる。
【００１８】
一方、機器本体１の裏側には基板２４が固定されており、この基板２４に取り付けられたコネクタ２３の接点がスイッチ収納部５に収納された状態のスイッチ６の背面部に形成された接点と電気的に接合されている。この電気的接合から、基板２４はディスプレイ３が閉じ状態にあることを検知している。スイッチ６がスイッチ収納部５から外れるとき、一緒に、コネクタ２３の接点との接合が解除される。解除情報は直ちに基板２４の回路に伝達され、この解除情報を受けて基板２４はディスプレイ３が閉じ状態にあることを条件にモーター２５をディスプレイ開方向に向けて回転起動させる。このモーター２５はディスプレイ３を閉状態から開状態に開動作させる駆動源として設けられている。
【００１９】
図５により、ディスプレイ３の動作機構について説明する。ディスプレイ３の一端部は軸２６と一体であり、該軸２６は機器本体１に軸支されている。軸２６にはウォームホイール２７が固定されている。ウォームホイール２７にはウォーム２８が噛み合わされている。ウォーム２８はモーター２６の回転軸に固定されており、モーター２６は機器本体１に固定されている。ウォームホイール２７にはロータリースイッチ２９の回転軸に固定されたギヤ３０が噛み合っている。
【００２０】
前記したとおり、スイッチ６がスイッチ収納部５から外れると、モーター２５が起動し、ウォーム２８及びウォームホイール２７を対とするウォームギヤの駆動によりディスプレイ３が軸２６を中心に矢印３１の向きに回動し、開状態に向けて開動作に入る。ディスプレイ３が所期の開状態に達したことがロータリースイッチ２９で検知されると、その検知情報が基板２４に送られ、これを受けた基板２４からの指令によりモーター２６の回転が停止される。
【００２１】
このように、スイッチ６が機器本体１と機構的及び電気的接続手段で接続され、これら機構的、電気的な接続が解除されると、ディスプレイ３の閉状態を条件にディスプレイ３の開動作が実行される。スイッチ６の抜脱とディスプレイ３の開動作とは、直接的にはコネクタ２３部の接点とスイッチ６の背面部に設けた接点同士の接触解除と、この情報を受けた基板２４からの指令によるモーター２５の駆動により関連付けられている。スイッチ６の接点、コネクタ２３、基板２４、モーター２５等はスイッチ６の抜脱とディスプレイ３の開動作とを関連付ける連携手段である。また、押釦１２や係合爪１０なども抜脱のトリガーを与える点で連携手段といえる。
ディスプレイユニット３を使用する際は、押釦１２の操作でスイッチ６を取り外せば、ディスプレイ３が開状態になるのですぐに任意の操作が可能となり、快適なディスプレイの使用環境を提供できる。なお、ディスプレイ３を開状態から閉状態にするのは、スイッチ６操作で可能である。開状態のもと、スイッチ６の操作でモーター２５を駆動し、ロータリースイッチ２９のカウントにより、ディスプレイ３が閉状態になった時点でモーター２５が停止される。
【００２２】
実施の形態３．
図６、７により説明する。なお、前記実施の形態におけるものと機能的に共通の部材については同じ符号で説明する。本例は、押釦１つの操作で機械的にスイッチ収納部からのスイッチ６の抜脱と、ディスプレイ３の開動作を行い、この開動作の駆動源として弾性手段を利用するものである。
【００２３】
図６において、スイッチ６は実施の形態２におけると同様、その一端側の凹部１７、１８に突起７、８を嵌合させ、他端側の凹部２０に係合爪１０を嵌合させている。係合爪１０は軸２２で機器本体１に枢着されており、弾性手段で付勢されることによる、軸２２を中心にした反時計回りの向きの回動は該係合爪１０の一部が機器本体１に接触することで阻止されている。この状態で係合爪１０と一体の作動片１０ａは押釦３２の先端部に接触している。
押釦３２は機器本体１の内側から外側に向けた弾性手段により付勢されており、この付勢による押釦３２の移動はつば状をしたストッパ３２ｂが機器本体１の内壁に当接することで阻止されている。
【００２４】
ディスプレイ３の一端側は軸２６が固定され、軸２６にはギヤ３４が固定され、軸２６は機器本体１に軸支されている。ディスプレイ３の軸２６が設けられた側と反対側の端部は押釦３２側に位置し、その端面には凹部３５が形成されている。凹部３５には一端部を軸３６で枢着された係合爪３３が嵌合している。係合爪３３は弾性手段により係合爪３３が凹部３５に入る向きに付勢されており、この付勢による係合爪の回動は係合爪３３の一部が機器本体１と当接すことで阻止されている。係合爪３３と一体の作動片３３は押釦３２の先端部に接触している。
【００２５】
押釦３２には２つの係合爪１０、３３の各作動片１０ａ、３３ａが共通に接している。従って、機器本体１の開口から突出している押釦３２を押し動かすことにより、各作動片１０ａ、３３ａを同時に作動させることができる。これにより、スイッチ６について係合爪１０が凹部２０から外れることでスイッチ６が収納部５から抜脱され、また、ディスプレイ３について係合爪３３が凹部３５から外れることでディスプレイ３の一端側の保持が解除される。
【００２６】
ギヤ３４にはギヤ３７が噛み合わされている。ギヤ３７は軸３８に固定されている。軸３８は機器本体１に軸支されている。軸３８にはまた、ぜんまい３９の一端側が固定されており、該ぜんまい３９の他端側は機器本体１の一部に固定されている。ぜんまい３９はその弾性力がギヤ３７、３４を介してディスプレイ３を開く向きに回動するように装着されている。従って、係合爪３３が凹部３５から外れることで、ディスプレイ３はぜんまい３９の弾性により開動作をする。所期の開状態に達する位置で適宜のストッパで回動を停止させる。ディスプレイ３を閉じるのは手動による。閉じ動作に伴いぜんまい３９がチャージされる。
【００２７】
このように、スイッチ６のスイッチ収納部からの抜脱と、ディスプレイ３の開動作とを押釦３２及び該押釦３２に係合する係合爪１０の作動片１０ａ、係合爪３３の３３ａなどの構成により関連付けている。これら押釦３２、係合爪１０、係合爪３３はスイッチ６の抜脱とディスプレイ３の開動作とを関連付ける連携手段の一例である。また、ディスプレイ開動作の駆動源としてぜんまいによる弾性手段を用いた。電源を必要としないので省エネ効果がある。
本例でも、ディスプレイユニット３を使用する際は、押釦３２の操作でスイッチ６を取り外せば、ディスプレイ３が開状態になるのですぐに任意の操作が可能となり、快適なディスプレイの使用環境を提供できる。
なお、ぜんまい以外の弾性手段を用いることも可能である。また、ディスプレイ３の所期の開状態までの全行程を弾性手段で開く構成とせず、初期の開き動作だけに弾性手段の力を利用し、その後の回動を手動で行うようにすることもできる。
【００２８】
実施の形態４．
本実施の形態では、ディスプレイの開動作をディスプレイ自身の自重モーメントを利用する。その構成は図８に示すとおりであり、スイッチ６の抜脱とディスプレイ３の開動作とを関連付ける連携手段の構成は実施の形態３と同じである。ディスプレイ３の開動作とを押釦３２及び該押釦３２に係合する係合爪１０の作動片１０ａ、係合爪３３の３３ａなどの構成により関連付けている。
図６に示した実施の形態３の構成と図８に示した本実施の形態例との違いは、軸２６にギヤ３４が固定されていないことであり、他の構成は同じである。よって、同一の符号で示し、説明は省略する。ディスプレイ３の回動が円滑かつ、危険のない速度で行われるように適宜の重力バランスをとるものとする。ディスプレイ３は係合爪３３の解除により、自重モーメントにより開動作を行う。本例においても、初期の開き動作だけに自重モーメントを用い、その後の回動を手動で行うようにすることもできる。
本例でも、ディスプレイユニット３を使用する際は、押釦３２の操作でスイッチ６を取り外せば、ディスプレイ３が開状態になるのですぐに任意の操作が可能となり、快適なディスプレイの使用環境を提供できる。動力源を使用しないので、構成が簡易である。
【図面の簡単な説明】
【００２９】
【図１】ディスプレイ及びリモート・スイッチを機器本体に収納した状態で示した斜視図である。
【図２】リモート・スイッチを抜脱し、ディスプレイを開いた状態で示した斜視図である。
【図３】リモート・スイッチ及びその収納部を拡大して示した分解斜視図である。
【図４】リモート・スイッチ及びその収納部の断面図である。
【図５】ディスプレイ及びその収納部の断面図である。
【図６】リモート・スイッチ、ディスプレイ及びこれらの収納部の断面図である。
【図７】ディスプレイを開く駆動源としてぜんまいを用いた構成部の斜視図である。
【図８】リモート・スイッチ、ディスプレイ及びこれらの収納部の断面図である。
【符号の説明】
【００３０】
１  ディスプレイ機器本体、３  ディスプレイ、４  ディスプレイ収納部、５  スイッチ収納部、６  リモート・スイッチ、１０  係合爪、１２  押釦、１２ａ  作動片、２１、２２  軸、２３  コネクタ、２４  基板、２５  モーター、３３ａ  作動片、３９  ぜんまい。
【図１】
2009132166.tif 000003
【図２】
2009132166.tif 000004
【図３】
2009132166.tif 000005
【図４】
2009132166.tif 000006
【図５】
2009132166.tif 000007
【図６】
2009132166.tif 000008
【図７】
2009132166.tif 000009
【図８】
2009132166.tif 000010